(57)【特許請求の範囲】
【請求項１】
記録ヘッドと記録ヘッドに印刷情報を転送する記録ヘッド制御部とをフラットケーブルにより接続し、このフラットケーブルにデータ転送ラインと２本のクロックパルス転送ラインとを少なくとも配置し、これらクロックパルス転送ラインに正位相，逆位相のクロックパルスを転送するように構成し、さらにこれらクロックパルス転送ラインをフラットケーブルのクロック用リターングランドラインを挟むように配置したプリンタであって、
データ転送ラインはクロックパルス転送ラインと対をなす２組に分割され、分割された一方のデータ転送ラインにおいて対応するクロックパルスの転送と同期してデータ転送を行い、他方のデータ転送ラインには対応するクロックパルスの転送と同期するデータ転送は行わないことを特徴とするプリンタ。
【請求項２】
記録ヘッドと記録ヘッドに印刷情報を転送する記録ヘッド制御部とをフラットケーブルにより接続し、このフラットケーブルにデータ転送ラインと２本のクロックパルス転送ラインとを少なくとも配置し、これらクロックパルス転送ラインに正位相，逆位相のクロックパルスを転送するように構成し、さらにこれらクロックパルス転送ラインをフラットケーブルのクロック用リターングランドラインを挟むように配置したプリンタであって、
データ転送ラインはクロックパルス転送ラインと対をなす２組に分割され、分割された一方のデータ転送ラインにおいて対応するクロックパルスの転送と同期してデータ転送を行い、他方のデータ転送ラインにおいても対応するクロックパルスの転送と同期してデータ転送を行うことを特徴とするプリンタ。
【発明の詳細な説明】
【技術分野】
【０００１】
本発明は、記録紙に画像情報、文字情報等の印刷情報を印刷する記録ヘッドと記録ヘッド制御部とをフラットケーブルにより接続したプリンタに関するもので、特に電磁障害を防止できるプリンタに関するものである。
【背景技術】
【０００２】
従来、記録紙に画像情報、文字情報等の印刷情報を印刷する記録ヘッドが設けられたプリンタにあっては、記録ヘッドの位置に応じたドット単位の印刷情報を転送する記録ヘッド制御部と記録ヘッドとはフラットケーブルにより接続されている。このフラットケーブルにより電磁障害はある程度防止されているが、最近のデータ転送の高速化にともない、データ転送時のクロック周波数を上げる必要のあることから、さらなる電磁障害の防止対策が種々開発されている。その一つの技術として、特許文献１に記載の画像形成装置がある。この画像形成装置５１は、図６に示すようにパソコン、ＣＡＤ装置等でなる外部装置５２が接続された制御装置５１ａと記録紙に画像情報、文字情報等の印刷情報を印刷する２台の記録ヘッド５４，５４と記録ヘッド５４，５４の位置情報を記録ヘッド制御部５３に送るリニアスケール５５とを有している。
【０００３】
前記制御装置５１ａは、記録ヘッド制御部５３と画像情報を記憶する画像メモリ５６とＣＰＵ５７ａおよびＲＯＭ５７ｂを備えた印字制御部５７とからなっている。また、前記制御装置５１ａは外部装置５２から印刷情報が転送されると、印字制御部５７であらかじめ記憶された制御プログラムに従って記録ヘッド制御部５３を駆動し、記録ヘッド５４，５４にドット単位の印刷情報および印字制御情報を転送するように構成されている。
【０００４】
前記記録ヘッド５４，５４と記録ヘッド制御部５３とはフラットケーブル５８，５８により接続されており、このフラットケーブル５８，５８には図７に示すように２本のデータ転送ライン５８ｃ，５８ｃと２本のクロックパルス転送ライン５８ｂ，５８ｂとが配置されている。前記クロックパルス転送ライン５８ｂ，５８ｂには、それぞれ各記録ヘッド５４，５４に印刷情報を送る際の同期を取るクロックパルスが転送されるように構成されており、しかもこれらクロックパルスは１８０°の位相差を持つように構成されている。
【先行技術文献】
【特許文献】
【０００５】
【特許文献１】特開２００７−６９３７７号公報
【発明の概要】
【発明が解決しようとする課題】
【０００６】
この画像形成装置５１では、クロックパルス転送時にクロックパルス転送ライン５８ｂ，５８ｂに電流が流れると、磁界が発生し、続いて電界が発生し、それによりまた磁界が発生し、電磁界（電波）が発生し、これが放射ノイズの原因となるが、クロックパルスが１８０°の位相差を持っている。そのため、一方のクロックパルス転送ライン５８ｂの周囲の電磁誘導により発生する電磁界（電波）と他方のクロックパルス転送ライン５８ｂの周囲に発生する電磁界（電波）との位相差も１８０°となって、お互い電磁界（電波）が打消し合い、ある程度電磁ノイズの影響を排除している。しかしながら、この画像形成装置５１では各クロックパルス転送ライン５ｂ、５ｂがデータ転送ライン５８ｃ，５８ｃに隣接して配置されているため、電流が流れる時に発生する磁界の影響を排除しきれず、放射ノイズの発生を完全に抑制するのは困難となっており、フラットケーブル５８，５８に配置されたデータ転送ライン５８ｃ，５８ｃに電磁障害を招く等の欠点が生じている。
【０００７】
本発明の第１の目的は、このような欠点を除去することであり、記録ヘッドと記録ヘッド制御部とをケーブルにより接続したプリンタであって、クロックパルス転送時の電磁障害を防止できるプリンタを提供することである。
【課題を解決するための手段】
【０００８】
本発明は、第１の目的を達成するために、記録ヘッドと記録ヘッドに印刷情報を転送する記録ヘッド制御部とをフラットケーブルにより接続し、このフラットケーブルにデータ転送ラインと２本のクロックパルス転送ラインとを少なくとも配置し、これらクロックパルス転送ラインに正位相，逆位相のクロックパルスを転送するように構成し、さらにこれらクロックパルス転送ラインをフラットケーブルのクロック用リターングランドラインを挟むように配置したことを前提とする。
【０００９】
このように構成すると、クロックパルス転送時に各クロックパルス転送ラインに電流が流れると電磁界（電波）が発生するが、位相差が１８０°となる上に、クロックパルス転送ラインに流れた電流は共通のクロック用リターングランドラインに逆向きに流れるので、電流はキャンセルされ、ここからの電磁界ひいては周辺のデータ転送ラインに悪影響を及ぼす放射ノイズの発生も抑制することができる。
【００１０】
ここで、本発明は上記前提に加え、データ転送ラインをクロックパルス転送ラインと対をなす２組に分割し、分割された一方のデータ転送ラインにおいて対応するクロックパルスの転送と同期してデータ転送を行い、他方のデータ転送ラインには対応するクロックパルスの転送と同期するデータ転送は行わない構成としたことを特徴とする。
【００１１】
この構成により、データ転送ラインが奇数本であっても、そのうちの１本を上記のように分割すれば、同様に放射ノイズの発生を抑制することができる。
【００１２】
また、本発明は上記前提に加え、データ転送ラインをクロックパルス転送ラインと対をなす２組に分割し、分割された一方のデータ転送ラインにおいて対応するクロックパルスの転送と同期してデータ転送を行い、他方のデータ転送ラインにおいても対応するクロックパルスの転送と同期してデータ転送を行う構成としたことを特徴とする。
【００１３】
この構成により、データ転送ラインが奇数本であっても、そのうちの１本を上記のように分割すれば、同様に放射ノイズの発生を抑制することができるばかりか、データ転送ラインにおいても放射ノイズの発生を抑制することができる。
【発明の効果】
【００１４】
以上説明した本発明によれば、記録ヘッドとその制御部とをケーブルにより接続したプリンタであって、クロックパルス転送時の電磁障害を解消できるプリンタ装置を提供することができる。
【図面の簡単な説明】
【００１５】
【図１】本発明の実施形態にかかるプリンタの制御部を示す概略ブロック図
【図２】本発明の実施形態にかかる記録ヘッド制御部と記録ヘッドとの接続状態を示す接続図
【図３】本発明の実施形態にかかるデータ転送を説明するタイミングチャート
【図４】本発明の実施形態にかかるフラットケーブルに生じる電磁誘導の模式図
【図５】本発明の他の実施形態にかかるデータ転送を説明するタイミングチャート
【図６】従来の画像形成装置を説明する概略ブロック図
【図７】従来の画像形成装置にかかる記録ヘッド制御部と記録ヘッドとの接続状態を示す接続図
【発明を実施するための形態】
【００１６】
以下、本発明の実施形態を、図面を参照して説明する。この実施形態のプリンタ１は、図１および図２に示すようにパソコン、ＣＡＤ装置等でなる外部装置２が接続された記録ヘッド制御部３と記録紙に画像情報、文字情報等の印刷情報を印刷する記録ヘッド４とを有している。前記記録ヘッド制御部３は、外部装置２から印刷情報が転送されると、記録ヘッド４の位置に応じたドット単位の印刷情報および印字制御情報を記録ヘッド４に転送するように構成されている。
【００１７】
前記記録ヘッド制御部３と記録ヘッド４とはフラットケーブル５により接続されており、このフラットケーブル５にはデータ転送ライン５ａ、２本のラッチ信号ライン５ｄ、５ｄおよびクロック用リターングランドライン５ｃ並びにストローブ信号ライン（図示せず）が配置されている。前記データ転送ライン５ａはｎ／２本を一組として２分割され、一方のデータ転送ライン５ａに図３（ａ）に示す正規データが後記クロックパルス転送ライン５ｂの一方に転送されるクロックパルスに同期して転送されるように構成されている。また、他方のデータ転送ライン５ａには図３（ｅ）に示すようにデータが転送されず、このデータ転送ライン５ａがダミーデータ転送ラインとなるように構成され、データ転送ラインが奇数本であっても、そのうちの１本を分割することで、クロックパルス転送ラインと対をなすことができるように構成されている。
【００１８】
さらに、前記ラッチ信号ライン５ｄ，５ｄの一方には図３（ｃ）に示すラッチ信号が転送されるように構成されており、他方には図３（ｇ）に示すようにラッチ信号が転送されないように構成されている。
【００１９】
しかも、前記ストローブ信号ラインの一方は、図３（ｄ）に示すようにラッチ用ストローブ信号を転送するように構成されており、他方は図３（ｈ）に示すようにラッチ用ストローブ信号が転送されないように構成されている。
【００２０】
前記フラットケーブル５には２本のクロックパルス転送ライン５ｂ，５ｂが前記クロック用リターングランドライン５ｃを挟む位置に配置されており、クロックパルス転送ライン５ｂ，５ｂを通りさらにクロック用リターングランドライン５ｃを通って帰還する閉ループを流れる電流の向きが当該クロック用リターングランドライン５ｃの両側の閉ループで逆向きとなるように構成されている。
【００２１】
前記２本のクロックパルス転送ライン５ｂ，５ｂには図３（ｂ）および図３（ｆ）に示すように１８０°の位相差を持つ正位相，逆位相のクロックパルスが転送されるように構成されており、これらクロックパルスの一方は正規データの転送の同期信号となり、他方はデータ転送を伴わないダミークロックパルスとなっており、正規データの転送に際して支障のないように構成されている。
【００２２】
上記プリンタでは、外部装置２から印刷情報が記録ヘッド制御部３に送られると、記録ヘッド制御部３からクロックパルスに同期してドット単位の印刷情報がフラットケーブル５の２分割されたデータ転送ライン５ａ，５ａの一方を通って記録ヘッド４に送られる。この時、２本のクロックパルス転送ライン５ｂ，５ｂに正位相，逆位相のクロックパルスが転送され（図２中、クロック用リターングランドライン５ｃ付近の矢印参照）、正位相のクロックパルスに同期して正規データの転送が行われるが、２分割されたデータ転送ライン５ｂ，５ｂの他方にはデータを転送しない。すなわち、このデータ転送ラインに対応するクロックパルス転送ライン５ｂで転送するクロックパルスは逆位相のクロックパルスとする。これら正位相，逆位相のクロックパルスでは、位相がそろって出力されるので、すなわち一方のクロックパルスの立ち上がり時と他方のクロックパルスの立ち下り時とが同期するので、その時の記録ヘッド制御部３と記録ヘッド４との間に生じる電位差により各クロックパルス転送ラインを電流が同時に、かつお互い逆方向に流れる。また、クロックパルス転送ライン５ｂ，５ｂに高い周波数のクロックパルスが転送されると、２本のクロックパルス転送ライン５ｂ，５ｂに前述した電流が流れ、その周囲に磁界が発生し、続いて電界が発生し、それによりまた磁界が発生し、というように電磁界（電波）が発生し、これが放射ノイズの原因となる。しかしながら、これらクロックパルスの位相差が１８０°となっているため、２本のクロックパルス転送ライン５ｂ，５ｂの周囲に発生する電磁界（電波）の位相差も１８０°となる上に、各クロックパルス転送ライン５ｂ、５ｂに流れた電流は共通のクロック用リターングランドライン５ｃに逆向きに流れるので、電流はキャンセルされ、ここからの電磁界ひいては周辺のデータ転送ライン５ａに悪影響を及ぼす放射ノイズの発生も解消することができる。見方を変えれば、クロックパルス転送ライン５ｂ，５ｂを通りさらにクロック用リターングランドライン５ｃを通って帰還する閉ループを流れる電流の向きが当該クロック用リターングランドライン５ｃの両側の閉ループで逆向きとなるので、図４に示すように閉ループの内側にループと直交する方向に発生する磁界が逆向きとなり、これが打ち消し合う結果、外部に出て行く放射ノイズはキャンセルされることとなる。したがって、フラットケーブル５に配置されたデータ転送ライン５ａを転送される正規データは電磁障害を受けない。
【００２３】
なお、クロックパルスのほか、データ、ラッチ信号についても電磁ノイズは発生するが、電磁ノイズの相対的エネルギーの大きさを比較すると、クロックパルスでは印刷中は位相がそろって出力されているため、エネルギーが大きいのに比べ、データではクロックパルスよりは発生頻度が小さく、エネルギーは小さい。ただし、画像パターンによりエネルギーは左右されるので、クロックパルスが偶数の場合にはクロックパルスが転送するデータを２分割しかつ位相をずらすことで、さらにエネルギーを小さくすることが期待できる。ラッチ信号については、位相はそろっているが、印刷中にはクロックパルスのように常時出力されておらず、間欠的に出力されるため、エネルギーは小さい。よって、ここからの放射ノイズの発生はさほど問題となることはない。
【００２４】
以上説明したように、本発明の実施形態は記録ヘッド４と記録ヘッド４に印刷情報を転送する記録ヘッド制御部３とをフラットケーブル５により接続し、このフラットケーブル５にデータ転送ライン５ａと２本のクロックパルス転送ライン５ｂ，５ｂとを少なくとも配置し、これらクロックパルス転送ライン５ｂ，５ｂに正位相，逆位相のクロックパルスを転送するように構成し、さらにこれらクロックパルス転送ライン５ｂをフラットケーブル５のクロック用リターングランドライン５ｃを挟むように配置したことを特徴とする。
【００２５】
このように構成すると、クロックパルス転送時に各クロックパルス転送ライン５ｂ，５ｂに流れると電磁界（電波）が発生するが、位相差が１８０°となる上に、クロックパルス転送ライン５ｂ，５ｂに流れた電流は共通のクロック用リターングランドライン５ｃに逆向きに流れるので、電流はキャンセルされ、ここからの電磁界ひいては周辺のデータ転送ライン５ａに悪影響を及ぼす放射ノイズの発生も抑制することができる。
【００２６】
なお、本発明の実施形態では１本のデータ転送ラインを２分割しているが、記録ヘッド４の本数に合わせてデータ転送ライン５ａを配置してもよい。また、データ転送ライン５ａをクロックパルス転送ライン５ｂ、５ｂと対をなす２組に分割し、分割された一方のデータ転送ライン５ａにおいて対応するクロックパルスの転送と同期してデータ転送を行い、他方のデータ転送ライン５ａにおいても対応するクロックパルスの転送と同期してデータ転送を行う構成としてもよい。この場合、１８０°の位相差を持ったクロックパルスの転送（図５(ｂ）および図５(ｄ)参照）に加え、２分割されたデータ転送ライン（図示せず）の一方から転送されるデータ（図５(ａ)参照）が他方から転送されるデータ（図５(ｃ)参照）との位相差を１８０°として転送されることにより、データ転送ラインにおいても放射ノイズの発生を抑制することができる。さらに、クロックパルスは２本に限定されるものではなく、２本以上の実現可能な偶数本であればよい。
【００２７】
本発明の幾つかの実施形態について説明したが、各部の具体的な構成は、上述した実施形態のみに限定されるものではなく、本発明の趣旨を逸脱しない範囲で種々変形が可能である。
【符号の説明】
【００２８】
１…プリンタ
３…記録ヘッド制御部
４…記録ヘッド
５…フラットケーブル
５ａ…データ転送ライン
５ｂ…クロックパルス転送ライン
５ｃ…クロック用リターングランドライン
【図１】
0005867022.tif 000002
【図２】
0005867022.tif 000003
【図３】
0005867022.tif 000004
【図４】
0005867022.tif 000005
【図５】
0005867022.tif 000006
【図６】
0005867022.tif 000007
【図７】
0005867022.tif 000008